(57)【特許請求の範囲】
【請求項１】
物品に取り付けて、前記物品の情報を表示するタグにおいて、
可撓性を有する線形に形成され、その両端に係止部を有する吊持部材と、
前記係止部をそれぞれ係止させる被係止部、及び、前記物品の情報を表示する第１表示部を有する第１表示部材と、
前記吊持部材又は前記第１表示部材に設けられ、係止した前記係止部及び前記被係止部の係止を解除する方向へ力が印加されると、前記係止の解除前に破断する第１破断部と、
前記第１表示部材と連結する連結部、及び、前記物品の情報を表示する第２表示部を有する第２表示部材と、
前記第１表示部材に設けられ、前記連結部と連結する被連結部と、
前記連結部及び前記被連結部の少なくとも一方に設けられ、連結した前記第１表示部及び前記第２表示部の連結を解除する方向へ力が印加されると、前記連結の解除前に破断する第２破断部と、
を備えることを特徴とするタグ。
【請求項２】
前記連結部又は前記被連結部を有するとともに、前記物品の情報を表示する第３表示部を有し、前記第１表示部材及び前記第２表示部材と連結する第３表示部材をさらに備えることを特徴とする請求項１に記載のタグ。
【請求項３】
前記第１表示部材、前記第２表示部材及び前記第３表示部材は、その表面に前記物品の情報を表示する凹み部及び銘板の少なくとも一方を有することを特徴とする請求項２に記載のタグ。
【請求項４】
前記第２表示部材は、前記被係止部を有し、前記吊持部材を係止可能に形成されていることを特徴とする請求項１に記載のタグ。
【発明の詳細な説明】
【技術分野】
【０００１】
本発明は、物品に吊下げられ、物品の情報を表示するタグに関する。
【背景技術】
【０００２】
店舗に陳列される商品等の物品には、物品の価格、品質及び銘柄等の情報を表示するタグが吊持される。このようなタグは、例えば、紙葉類又は樹脂で形成された薄板状の表示札と、表示札を物品に吊持するループ状の取付具と、を組合せたものが知られている。
【０００３】
このようなタグに用いられる表示札は、物品の価格や素材等の情報が記載され、その端部に取付具の挿通孔が設けられる。また、取付具は、糸や樹脂等で形成され、表示札の挿通孔及び商品の襟タグ等に挿通し、その両端を係合することでループ状とし、商品及び表示札と接続させる。このように、タグは、取付具を介して表示札が物品に設けられることで、商品の情報を表示する。
【０００４】
また、このようなタグに用いられる取付具として、互いに係合（掛合）する係止部及び係止部を複数有し、繰り返し係合することが可能なものも知られている。（例えば、特許文献１参照）。また、ブランド商品に用いるタグとして、そのブランドロゴ等を表示札に表示し、装飾効果を得るものも知られている。
【先行技術文献】
【特許文献】
【０００５】
【特許文献１】特開２００７−３２８２３５号公報
【発明の概要】
【発明が解決しようとする課題】
【０００６】
上述したタグでは、以下の問題があった。即ち、上述したタグは、商品によって用いる表示札に適した意匠のものが用いられる。また、同様に、取付具の材質も、糸や樹脂材料だけでなく、例えばボールチェーン等の他の部材が用いられることもある。
【０００７】
このように、商品に適したタグは、それぞれその形状、寸法及び材質等が異なることから、商品毎にタグを生産する。この生産したタグは、他の商品に転用することが難しく、汎用性が低い、という問題がある。特に、店舗等で用いる場合に、急な仕入れや期間的な販売のために、既に生産したタグが用いることができない場合には、タグを改めて生産する等の措置が必要となる。
【０００８】
そこで本発明は、汎用性の高いタグを提供することを目的としている。
【課題を解決するための手段】
【０００９】
前記課題を解決し目的を達成するために、本発明のタグは、次のように構成されている。
【００１０】
本発明の一態様として、物品に取り付けて、前記物品の情報を表示するタグにおいて、可撓性を有する線形に形成され、その両端に係止部を有する吊持部材と、前記係止部をそれぞれ係止させる被係止部、及び、前記物品の情報を表示する第１表示部を有する第１表示部材と、前記吊持部材又は前記第１表示部材に設けられ、係止した前記係止部及び前記被係止部の係止を解除する方向へ力が印加されると、前記係止の解除前に破断する第１破断部と、前記第１表示部材と連結する連結部、及び、前記物品の情報を表示する第２表示部を有する第２表示部材と、前記第１表示部材に設けられ、前記連結部と連結する被連結部と、前記連結部及び前記被連結部の少なくとも一方に設けられ、連結した前記第１表示部及び前記第２表示部の連結を解除する方向へ力が印加されると、前記連結の解除前に破断する第２破断部と、を備えることを特徴とするタグが提供される。
【発明の効果】
【００１２】
本発明によれば、その外形形状が変更可能となり、汎用性を向上することができるタグを提供することが可能となる。
【図面の簡単な説明】
【００１３】
【図１】本発明の第１の実施の形態に係るタグの構成を示す説明図。
【図２】同タグの構成を示す斜視図。
【図３】同タグの構成を示す平面図。
【図４】同タグの構成を示す分解斜視図。
【図５】同タグに用いられる第１表示部の構成を一部断面で示す平面図。
【図６】同第１表示部の構成を示す側面図。
【図７】同第１表示部の構成を示す側面図。
【図８】同タグに用いられる第２表示部の構成を一部断面で示す平面図。
【図９】同タグに用いられる吊持部材の構成を示す平面図。
【図１０】本発明の第２の実施の形態に係るタグの構成を示す平面図。
【図１１】同タグに用いられる第３表示部の構成を示す平面図。
【図１２】本発明の第３の実施の形態に係るタグの構成を示す平面図。
【図１３】本発明の第４の実施の形態に係るタグの構成を示す平面図。
【図１４】本発明の第５の実施の形態に係るタグに用いられる第３表示部の構成を示す平面図。
【発明を実施するための形態】
【００１４】
以下、本発明の一実施の形態に係るタグ１を、図１〜９を用いて説明する。  
図１は本発明の一実施の形態に係るタグ１の構成を示す説明図、図２は同タグ１の構成を示す斜視図、図３は同タグ１の構成を示す平面図、図４は同タグ１の構成を示す分解斜視図、図５は第１表示部材１１の構成を一部断面で示す平面図、図６は同第１表示部材１１の一方の側面１１ａの構成を示す側面図、図７は同第１表示部材１１の他方の側面１１ｂの構成を示す側面図、図８は同タグ１に用いられる第２表示部材１２の構成を一部断面で示す平面図、図９は同タグ１に用いられる吊持部材６の構成を示す平面図である。
【００１５】
図１に示すように、タグ１は、例えば、物品１００に吊持される。なお、物品１００とは、店舗等で販売される商品であり、例えばシャツやジャケット等の衣類（以下「衣類１００」として説明）である。図１〜４に示すように、タグ１は、表示部材５と、２つの吊持部材６と、を備えている。タグ１は、一方の吊持部材６が衣類１００の襟元にある襟タグ１０１等に吊持されるとともに、他方の吊持部材６に値札１１０が吊持される。
【００１６】
表示部材５は、例えば、衣類１００のブランドのロゴ等を表示可能に形成されている。図１〜４に示すように、表示部材５は、第１表示部材１１と、第２表示部材１２と、銘板１３と、を備えている。
【００１７】
第１表示部材１１は、樹脂材料で形成されている。図１〜６に示すように、第１表示部材１１は、箱型に形成されている。第１表示部材１１は、被係止部１５と、被連結部１６と、第１表示部１７と、を備えている。
【００１８】
被係止部１５は、第１表示部材１１の一の側面部１１ａに設けられ、吊持部材６の両端に設けられた後述する係止部６２を係止可能に形成されている。具体的には、被係止部１５は、側面部１１ａに設けられた第１被係止部２１及び第２被係止部２２を備えている。被係止部１５は、側面部１１ａから第１表示部材１１内へ係止部６２を挿入する挿入孔である。
【００１９】
第１被係止部２１は、例えば、円柱状の孔部２３と、孔部２３の内側面の奥方にその内面が拡口する拡口部２４と、その拡口部２４の一部に設けられたストッパ２５と、を備えている。
【００２０】
ストッパ２５は、例えば、その中心側に円状の開口部が形成され、この開口部が拡口可能に形成されている。具体的には、ストッパ２５は、例えば、半円状に切欠する切欠部２６ａが形成された一対の板部２６、２６により形成されている。
【００２１】
このストッパ２５は、板部２６が、拡口部２４の内面と離接可能に形成され、この離接により、一対の板部２６、２６の切欠部２６ａ、２６ａにより形成される略円状の開口面積が変化する。なお、この切欠部２６ａ、２６ａにより形成される開口面積は、後述する吊持部材６の係止部６２の一を挿通可能、且つ、括れ部６９を係止可能な面積であればよい。
【００２２】
第２被係止部２２は、例えば、角柱状の孔部２８である。また、第２被係止部２２は、孔部２８の奥方に、その内面が拡口する拡口部２９が設けられている。なお、この拡口部２９は、孔部２８よりもその内面間の寸法が大であって、孔部２８及び拡口部２９間に段差を形成可能であればよい。
【００２３】
一の側面部１１ａは、箱型の第１表示部材１１の外側面の一である。この一の側面部１１ａは、例えば、図１〜６に示すように、第１表示部材１１の外周の一部が切欠して形成されている。なお、この切欠は、例えば、第１被係止部２１の意匠のための切欠であるが、係止部６２の挿入を案内を兼ねてもよい。また、第１表示部材１１は、その外周の一部の切欠により、第１被係止部２１に挿入された係止部６２の一部が外部に露出可能となる。
【００２４】
被連結部１６は、第１表示部材１１の一の側面部１１ａとは異なる他の側面部１１ｂに設けられている。被連結部１６は、第２表示部材１２に設けられた後述する連結部４２と連結可能に形成されている。被連結部１６は、図５，７に示すように、側面部１１ｂに設けられた第１被連結部３１及び第２被連結部３２を備えている。被連結部１６は、側面部１１ｂから連結部を挿入可能に形成されている。
【００２５】
第１被連結部３１は、例えば、角柱状の孔部３３と、孔部３３の内側面の奥方の一部に、その内面が拡口する拡口部３４が設けられている。なお、この拡口部３４は、孔部３３よりもその内面間の寸法が大であって、孔部３３と拡口部３４とによりその連続する部位に段差部が形成されればよい。
【００２６】
第２被連結部３２は、例えば、角柱状の孔部３５である。なお、第２被連結部３２は、第１被連結部３１よりもその内面寸法が小に形成されている。また、第２被連結部３２は、孔部３５の内面の一部が凹む凹み部３６を有している。この凹み部３６は、孔部３５の内面と連続する部位に段差部を有して形成されている。
【００２７】
第１表示部１７は、衣類１００の情報（物品の情報）を表示する表示部である。第１表示部１７は、第１表示部材１１の一方の主面に、銘板１３を配置可能に形成されている。第１表示部１７は、銘板１３の一部の外周形状に沿って突起し、銘板１３の一部を第１表示部材１１の所定の位置に案内する案内手段である。
【００２８】
第２表示部材１２は、樹脂材料で形成されている。図１〜４，８に示すように、第２表示部材１２は、第１表示部材１１と同様の外形状で、箱型に形成されている。第２表示部材１２は、被係止部４１と、連結部４２と、第２表示部４３と、を備えている。
【００２９】
被係止部４１は、第２表示部材１２の一の側面部１２ａに設けられ、吊持部材６の両端に設けられた係止部６２を係止可能に形成された、第１被係止部４５及び第２被係止部４６を備えている。
【００３０】
なお、被係止部４１は、その第１被係止部４５及び第２被係止部４６が、上述した第１表示部材１１に設けられた被係止部１５の第１被係止部２１及び第２被係止部２２と略同一の構成及び形状をしており、同様の構成には同一の符号を付し、その詳細な説明は省略する。但し、説明の便宜上、第２表示部材１２の被係止部４１及び第１、第２被係止部４５，４６は、第１表示部材１１の被係止部１５とは異なる符号を付す。
【００３１】
連結部４２は、第２表示部材１２の一の側面部１１ａとは異なる他の側面部１１ｂに設けられている。連結部４２は、第１表示部材１１に設けられた被連結部１６と連結可能に形成されている。連結部４２は、図４，８に示すように、側面部１１ｂに突出して設けられた第１連結部４７及び第２連結部４８を備えている。
【００３２】
第１連結部４７は、その外面形状が第１被連結部３１の孔部３３内面形状に沿って形成され、孔部３３に挿入可能な角柱状の挿入部５１を備えている。また、第１連結部４７は、その外面の一部に設けられた凸部５２と、その内部が一部空洞に形成された脆弱部５３と、を備えている。
【００３３】
凸部５２は、挿入部５１の外面から少なくともその一部が突出して形成されるとともに、外部からの外力により、その突出する先端が挿入部５１の外面と少なくとも面位置となるように変位可能に形成されている。凸部５２は、挿入部５１が孔部３３に挿入された際に、挿入部５１の、拡口部３４の内面の一と対向する面に設けられている。このような凸部５２は、その側面が孔部３３及び拡口部３４により形成される段差部と係止することで、孔部３３から挿入部５１が抜けることを防止し、第１連結部４７及び第１被連結部３１との連結が解除することを防止する。
【００３４】
なお、凸部５２は、例えば、挿入部５１の外面の一部であって、挿入部５１の外面よりも外部へと突出し、その周囲の一部に挿入部５１の外面と連続する部位を残して挿入部５１と切欠（分離）して形成されている。凸部５２は、挿入部５１の外面よりも突出する部位が押圧されることで、挿入部５１と連続する部位を支点に弾性変形して撓む。これにより、凸部５２は、挿入部５１の外面と、外面から突出するその先端が面位置となるように変位する。
【００３５】
脆弱部５３は、挿入部５１に設けられ、第１表示部材１１及び第２表示部材１２が離間方向に力が印加されるときに、第１連結部４７及び第１被連結部３１が離脱（連結が解除）する前に、挿入部５１が破断する強度に形成された破断部である。この脆弱部５３は、例えば、挿入部５１の根元部に設けられ、挿入部５１の外面から内面に連続する切欠（空洞）である。なお、図４中では、脆弱部５３は、三角柱状の切欠であるが、他形状であってもよい。
【００３６】
第２連結部４８は、その外面形状が第２被連結部３２の孔部３５内面形状に沿って形成され、孔部３５に挿入可能な角柱状の挿入部５５を備えている。また、第２連結部４８は、その外面の一部に設けられた凸部５６と、その内部が一部空洞に形成された脆弱部５７と、を備えている。
【００３７】
凸部５６は、挿入部５５の外面から少なくともその一部が突出して形成されるとともに、外部からの外力により、その先端が挿入部５５の外面と少なくとも面位置に変位可能に形成されている。凸部５６は、挿入部５５が孔部３５に挿入された際に、挿入部５５の、凹み部３６が設けられた孔部３５の内面の一と対向する面に設けられている。このような凸部５６は、その側面が孔部３５及び凹み部３６により形成される段差部と係止することで、孔部３５から挿入部５５が抜けることを防止し、第２連結部４８及び第１被連結部３２との連結が解除することを防止する。
【００３８】
なお、凸部５６は、挿入部５５の外面の一部であって、挿入部５５の外面よりも外部へと突出し、その周囲が一部に挿入部５５の外面と連続する部位を残して挿入部５５と切欠して形成されている。凸部５６は、挿入部５５の外面よりも突出する部位が押圧されることで、挿入部５５と連続する部位を支点に弾性変形して撓む。これにより、凸部５２は、挿入部５５の外面と、外面から突出するその先端が面位置となるように変位する。
【００３９】
脆弱部５７は、挿入部５５に設けられ、第１表示部材１１及び第２表示部材１２が離間方向に力が印加されるときに、第２連結部４８及び第２被連結部３２との連結が解除する前に、挿入部５５が破断する強度に形成された破断部である。この脆弱部５７は、例えば、挿入部５５の根元部に設けられ、挿入部５５の外面から内面に連続する切欠（空洞）である。なお、図４中では、脆弱部５７は、三角柱状の切欠であるが、他形状であってもよい。
【００４０】
第２表示部４３は、衣類１００の情報（物品の情報）を表示する表示部である。第２表示部４３は、第２表示部材１２の一方の主面に、銘板１３を配置可能に形成されている。第２表示部４３は、銘板１３の他部の外周形状に沿って突起し、銘板１３の他部を第２表示部材１２の所定の位置に案内する案内手段である。
【００４１】
なお、この第２表示部４３は、第１表示部１７と対となっており、これら第１表示部１７及び第２表示部４３が組み合わさることで、銘板１３の位置決めを行い、銘板１３を配置可能とする。このように、第１表示部１７及び第２表示部４３は、例えば、銘板１３を案内する案内手段であって、タグ１を吊持させる衣類１００の情報を表示する表示部である。
【００４２】
銘板１３は、樹脂や金属で形成された薄板である。銘板１３は、その外形状が、表示部材５の第１表示部１７及び第２表示部４３の内周形状に沿って形成されている。
【００４３】
銘板１３は、例えば、図１に示すように、その表面に、文字、符号、表彰及び図形等の記号やその集合である商品の情報が視認可能に形成されている。具体的には、銘板１３は、情報が印刷又は凹凸により表示されている。
【００４４】
吊持部材６は、線状部材６１と、係止部６２と、脆弱部６３と、を備えている。線状部材６１は、可撓性を有する部材で形成されている。例えば、線状部材６１は、糸、紐、樹脂ワイヤ、金属ワイヤ、ボールチェーン等である。なお、線状部材６１は、タグ１が用いられる商品や用途に合わせて適宜設定可能である。
【００４５】
係止部６２は、線状部材６１の両端に設けられ、被係止部１５，４１に係止可能に形成されている。具体的には、係止部６２は、図４、９に示すように、線状部材６１の両端にそれぞれ設けられた第１係止部６５及び第２係止部６６を備えている。係止部６２は、被係止部１５，４１へ挿入する挿入部材である。
【００４６】
第１係止部６５は、挿入部６８と、挿入部６８の外面の一部に設けられた括れ部６９と、を備えている。挿入部６８は、その先端の周縁が面取りされることでその径が漸次大に形成され、第１被係止部２１，４５の孔部２８に挿入可能な円柱状に形成されている。即ち、挿入部６８は、その先端部が中央部よりも細い先細形状に形成されている。
【００４７】
括れ部６９は、挿入部６８の中途部の径が一部小に形成された切欠部である。この括れ部６９は、第１被係止部２１，４５のストッパ２５と係合し、その側面及びストッパ２５の側面とが当接することで、挿入部６８をストッパ２５に係止可能に形成されている。
【００４８】
第２係止部６６は、挿入部７１と、挿入部７１の一部に設けられた返し部７２と、を備えている。挿入部７１は、その断面形状が、第２被係止部２２，４６の孔部２８に挿入可能な角状に形成されている。返し部７２は、挿入部７１の先端側に設けられ、その一部が挿入部７１の外面よりも外側に突出して形成されている。また、返し部７２は、外力により弾性変形可能に形成され、挿入部７１の外面と同位置又は挿入部７１の外面よりも内側に変位可能に形成されている。
【００４９】
即ち、返し部７２は、挿入部７１が孔部２８へ挿入される際に、孔部２８の内側面に押圧されて孔部２８の内側面と略同一位置に変位するとともに、孔部２８の内側面と摺動する。また、返し部７２は、第２被係止部２２，４６の拡口部２９において、復元力により、基の位置まで変形する。このような返し部７２は、孔部２８と拡口部２９との段差と係合し、挿入部７１が孔部２８から脱離することを防止可能に形成されている。
【００５０】
脆弱部６３は、例えば、第１係止部６５と線状部材６１との接続部に設けられている。この脆弱部６３は、吊持部材６に表示部材５及び吊持部材６の離間方向の引張応力を印加した際に、被係止部１５，４１と係止部６２との係合が解除（分離）するよりも早く破断するように形成された破断部である。
【００５１】
即ち、脆弱部６３は、被係止部１５，４１及び係止部６２の係合する力、及び、被係止部１５，４１及び吊持部材６の耐力（破壊応力）の中で最も弱い耐力に形成された部位である。なお、脆弱部６３の耐力は、係止部６２が被係止部１５，４１から脱離よりも先に破壊可能であればよい。また、脆弱部６３は、第１係止部６５を第１被係止部２１に挿入した際に、第１表示部材１１の外部に露出するように、形成されている。
【００５２】
このように構成されたタグ１は、吊持部材６により衣類１００に吊持されて、表示部材５により商品の情報を表示する。次に、このようなタグ１の衣類１００への装着等の使用の一例を説明する。
【００５３】
タグ１は、図４の分解斜視図に示すように、例えば、第１表示部材１１、第２表示部材１２、銘板１３及び吊持部材６が組み立てられていない状態で店舗や衣類製造工場等（以下「店舗」）保管される。この未組立て状態で保管されているタグ１は、店舗において、必要に応じて衣類１００の襟タグ１０１に装着される。
【００５４】
なお、ここでいう店舗での保管とは、例えば、製造されたタグ１の各構成品が複数個まとめられたタグ１の各構成品の集合群を組み立てていない状態で販売し、この未組立てのタグ１の集合を、店舗等で保管しておき、必要に応じて各構成品を組み立てて使用する。
【００５５】
このタグ１の装着方法として、先ず、表示部材５が組み立てられる。具体的に説明すると、まず、第１表示部材１１と第２表示部材１２とを、被連結部１６及び連結部４２で対向させる。この状態で、第１表示部材１１と第２表示部材１２とを近接させ、被連結部１６の第１被連結部３１及び第２被連結部３２に連結部４２の第１連結部４７及び第２連結部４８をそれぞれ挿入する。
【００５６】
第１連結部４７は、その挿入部５１が第１被連結部３１の孔部３３に挿入されるとともに、その凸部５２が、孔部３３の内面と面位置に変位する。挿入部５１は、凸部５２が変位した状態で、さらに孔部３３に挿入される。第１表示部材１１及び第２表示部材１２の側面が当接する位置まで挿入部５１が孔部３３に挿入されると、凸部５２は拡口部３４に移動する。拡口部３４に凸部５２が移動すると、凸部５２は、復元する方向へ変位して拡口部３４に位置し、その外面の一部が少なくとも孔部３３の内面よりも外側に位置する。
【００５７】
同様に、第２連結部４８は、その挿入部５５が第２被連結部３２の孔部３５に挿入されるとともに、その凸部５６が、孔部３５の内面と面位置に変位する。挿入部５５は、凸部５６が変位した状態で、さらに孔部３５に挿入される。第１表示部材１１及び第２表示部材１２の側面が当接する位置まで挿入部５５が孔部３５に挿入されると、凸部５６が凹み部３６に位置し、凸部５６が復元する方向へ変位する。これにより、凸部５６は、凹み部３６に位置し、その外面の一部が少なくとも孔部３５の内面よりも外側に位置する。
【００５８】
これらのように、各凸部５２，５６が、それぞれ拡口部３４及び凹み部３６に位置することで、凸部５２，５６は、各挿入部５１，５５の外面よりも突出する。このため、第１表示部材１１と第２表示部材１２とが離間する方向に力が印加されると、凸部５２，５６は、拡口部３４及び凹み部３６の各孔部３３，３５と形成される段差部に干渉し、第１表示部材１１及び第２表示部材１２が脱離することを防止する。
【００５９】
なお、このような第１表示部材１１及び第２表示部材１２の連結は、被連結部１６及び連結部４２が設けられたそれら側面を当接することで、第１、第２被連結部３１，３２及び第１、第２連結部４７，４８のそれぞれの連結が同時に行われる。
【００６０】
このように第１表示部材１１及び第２表示部材１２が連結すると、第１表示部材１１及び第２表示部材１２の外面の第１表示部１７及び第２表示部４３が組み合わさり、銘板１３の位置決めを行う案内手段が形成される。この案内手段に沿って銘板１３を取り付けることで、表示部材５が組み立てられる。
【００６１】
次に、表示部材５に、例えば、衣類１００の値段等の情報が記載された例えば値札１１０を吊下げる。先ず、吊持部材６に値札１１０を挿通させる。具体的には、値札１１０に設けられた挿入孔１１１に吊持部材６の係止部６２の一方を挿通させて、値札１１０を線状部材６１上に配置させる。この状態で、吊持部材６を、表示部材５に係止させる。
【００６２】
例えば、値札１１０が配置された吊持部材６は、第２表示部材１２に係合される。先ず、吊持部材６の第１係止部６５の挿入部６８を、第２表示部材１２の第１被係止部２１の孔部２３に挿入する。
【００６３】
孔部２３に挿入された挿入部６８は、一対の板部２６，２６の切欠部２６ａ，２６ａ間を移動することで、切欠部２６ａ、２６ａによる開口が広がるように、板部２６，２６が移動し、この広がった切欠部２６ａ，２６ａ間を挿通する。なお、挿入部６８の括れ部６９がストッパ２５まで移動すると、板部２６が括れ部２９に挿入する。これにより、板部２６と括れ部６９とが係合し、挿入部６８が孔部２３に固定される。
【００６４】
次に、第２係止部６６の挿入部７１を第２表示部材１２の第２被係止部２２の孔部２８に挿入する。挿入部７１は、返し部７２が弾性変形して孔部２３の内面と面位置に変位する。返し部７２が孔部２８と摺動しながら、返し部７２が拡口部２９に位置するまで挿入部７１は孔部２８に挿入される。返し部７２が拡口部２９に位置すると、返し部７２は、復元する方向へ変位して拡口部２９に位置し、その外面の一部が少なくとも孔部２８の内面よりも外側に位置する。
【００６５】
これらのように、括れ部６９がストッパ２５に位置することで、板部２６が括れ部６９に挿入し、板部２６が挿入部６８の外面よりも内部に挿入される。また、返し部７２が拡口部２９に位置することで、返し部７２は、挿入部７１の外面よりも突出する。これにより、被係止部１５と係止部６２とが離間する方向に力が印加されても、ストッパ２５が括れ部６９に、返し部７２が孔部２８と拡口部２９とで形成される段差部に、それぞれ干渉する。この干渉により、係止部６２は、第１係止部６５及び第２係止部６６が被係止部１５から離脱することがない。
【００６６】
このように、値札１１０が設けられた吊持部材６を表示部材５に固定後、衣類１００に他の吊持部材６を用いて表示部材５を吊持させる。なお、表示部材５を衣類１００に吊持させてから、値札１１０を表示部材５に吊持させてもよい。
【００６７】
具体的には、吊持部材６を、例えば、襟タグ１０１に挿通し、この襟タグ１０１に挿通させた吊持部材６を、表示部材５の第１表示部材１１に固定させる。なお、この第１表示部材１１と吊持部材６との組立ては、値札１１０を挿通させた吊持部材６を第２表示部材１２に固定した方法と略同一であるため、その詳細は省略する。
【００６８】
これらのように、表示部材５及び２つの吊持部材６，６を組み立てて、一方の吊持部材を衣類１００と接続し、他方の吊持部材６に値札１１０を設けることで、タグ１は、衣類１００の襟タグ１０１に装着され、衣類１００の情報を表示する。
【００６９】
このように構成されたタグ１によれば、容易に、衣類１００等に吊持することが可能である。また、タグ１は、組立時において、対応する連結部４２及び係止部６２をそれぞれ対応する被連結部１６及び被係止部１５，４１に挿入すればよく、組立てが容易である。
【００７０】
特に、被係止部１５，４１及び係止部６２は、第１被係止部２１及び第１係止部６５と、第２被係止部２２及び第２係止部６６との断面形状がそれぞれ異なる形状に形成されている。同様に、被連結部１６及び連結部４２は、第１被連結部３１及び第１連結部４７と、第２被連結部３２及び第２連結部４８との断面形状がそれぞれ異なる形状に形成されている。また、被係止部１５，４１及び係止部６２と、被連結部１６及び連結部４２との断面形状も、それぞれ異なる形状の組合せに形成されている。このため、タグ１は、組立て時の係合及び連結を間違えて行うことを防止可能となり、組立ミスの防止、及び、作業性の向上となる。
【００７１】
また、タグ１は、拡口部３４と凸部５２、及び、凹み部３６と凸部５６をそれぞれ係合させることで、被連結部１６及び連結部４２を係合する。これにより、第１表示部材１１と第２表示部材１２とが固定される。
【００７２】
同様に、タグ１は、ストッパ２５と括れ部６９、及び、拡口部２９と返し部７２、をそれぞれ係合させることで係止部６２及び被係止部１５，４１を係合する。これにより、表示部材５と吊持部材６とを固定する。
【００７３】
これらのようにして、タグ１が固定されることで、タグ１は、第１表示部材１１、第２表示部材１２及び吊持部材６が脱離する方向に引っ張られ、各部位に引張応力が印加されても、各構成品が離脱しない。即ち、タグ１は、凸部５２、５６が拡口部３４及び凹み部３６に、括れ部６９がストッパ２５に、返し部７２が拡口部２９に、それぞれ係止される。
【００７４】
これにより、タグ１は、第１表示部材１１、第２表示部材１２及び吊持部材６が脱離（分離）することを防止できる。なお、ここで脱離又は分離とは、タグ１が破損することなく、各構成品の係合（連結）が解除されることを示している。
【００７５】
また、脆弱部５３，５７，６３は、タグ１が分離する前に破断する（破損させる）強度に形成されている。このため、タグ１がさらに強い力で引っ張られても、タグ１は脱離することなく、破損することとなる。
【００７６】
これは、タグ１は、商品の情報を表示するために用いられる。しかし、タグ１は、このような用途に用いられるため、陳列している商品のタグを他の商品のタグからの付け替え等のために無断で商品に設けられたタグが外される虞がある。しかし、タグ１は、各構成品が分離する前に、脆弱部５３，５７，６３で破損させる構成であるため、分離後の転用を防止し、防犯性の向上も可能となる。即ち、防犯対策が可能なタグ１となる。また、脆弱部５３は、表示部材５の外部に位置するように、表示部材５及び吊持部材６が形成されるため、脆弱部５３を視認可能とし、破損等の抑制を行うことが可能となり、防犯に繋がる。
【００７７】
上述したように本実施の形態に係るタグ１によれば、組立てが容易、且つ、防犯対策が可能となる。
【００７８】
また、上述したタグ１は、第１表示部材１１、第２表示部材１２、銘板１３及び２つの吊持部材６により構成する一例を説明したが、この構成に限定されない。タグ１は、これ以外に、各構成品の組合せにより、適宜その形態を変形することが可能となる。また、他の部材を用いて、その形態を変形することが可能である。以下、タグ１の他の実施の形態を示す。
【００７９】
先ず、上述したタグ１の変形例として、本発明の第２の実施の形態に係るタグ１Ａを、図１０，１１を用いて説明する。図１０は本発明の第２の実施の形態に係るタグ１Ａの構成を示す平面図、図１１は同タグ１Ａに用いられる第３表示部材７５の構成を一部断面で示す平面図である。なお、図１０，１１中、図１〜９と同様の構成には同一符号を付し、その詳細な説明は省略する。
【００８０】
図１０に示すように、タグ１Ａは、表示部材５Ａと、２つの吊持部材６と、を備えている。表示部材５Ａは、第１表示部材１１と、第２表示部材１２と、第１表示部材１１及び第２表示部材１２間に設けられる第３表示部材７５と、銘板１３Ａと、を備えている。
【００８１】
第３表示部材７５は、樹脂材料で形成されている。図１０，１１に示すように、第３表示部材７５は、箱型に形成され、その一の側面部７５ａに連結部４２が、その他の側面部７５ｂに被連結部１６がそれぞれ設けられている。なお、例えば、被連結部１６は、上述した拡口部３４ではなく、図１１に示すように、凸部５２と係合可能な凹み部３４Ａであってもよい。なお、凹み部３４Ａは、凹み部３６と同様の構成、効果を有していれば良い。
【００８２】
また、第３表示部材７５は、その一方の主面に、銘板１３Ａを配置可能に形成された第３表示部７６を備えている。第３表示部７６は、衣類１００の情報（物品の情報）を表示する表示部である。第３表示部７６は、銘板１３Ａの外周形状の一部に沿って突起し、銘板１３Ａの第１、第２表示部１７、４３で案内される部位以外を案内する。即ち、この第３表示部７６は、第１表示部１７及び第２表示部４３と組み合わさることで、銘板１３Ａの位置決めを行う案内手段となる。
【００８３】
銘板１３Ａは、上述した銘板１３と同様に、樹脂や金属で形成された薄板であり、その表面に、文字、符号、表彰及び図形等の記号やその集合である商品の情報が視認可能に形成されている。この銘板１３Ａは、その外形状が、表示部材５Ａの第１表示部１７、第２表示部４３及び第３表示部７６の内周形状に沿って形成されている。
【００８４】
このように構成されたタグ１Ａによれば、上述したタグ１の効果を有するとともに、表示部材５Ａを上述したタグ１の表示部材５よりも、一方向に長い形状とすることが可能となる。即ち、タグ１の外形状を変形するとともに、表示部材５に表示可能な情報を増加することが可能となる。
【００８５】
なお、銘板１３Ａは、銘板１３よりも、第３表示部７６の形状分大きなものとなる。このため、銘板１３Ａに表示可能な情報量を増加、又は、表示する情報の寸法形状を拡大することが可能となる。このようにタグ１Ａは、タグ１と同様の効果だけでなく、さらに、汎用性を向上することが可能となる。なお、タグ１Ａは、表示する情報を増加させるだけでなく、タグ１Ａの意匠の向上等の意図から、タグ１Ａのように、第３表示部７６を有する構成としても勿論よい。
【００８６】
次に、図１２を用いて本発明の第３の実施の形態に係るタグ１Ｂについて説明する。図１２は本発明の第３の実施の形態に係るタグ１Ｂの構成を示す平面図である。なお、図１２中、図１〜１１と同様の構成には同一符号を付し、その詳細な説明は省略する。
【００８７】
図１２に示すように、タグ１Ｂは、表示部材５Ｂと、一つの吊持部材６と、を備えている。表示部材５Ｂは、第１表示部材１１と、銘板１３Ｂと、を備えている。
【００８８】
即ち、表示部材５Ｂは、銘板１３Ｂが設けられた第１表示部材１１のみであって、上述した第２表示部材１２及び第３表示部材７５を有さない構成である。
【００８９】
銘板１３Ｂは、例えば、上述した銘板１３、１３Ａと同様に、樹脂や金属で形成された薄板であり、その表面に、文字、符号、表彰及び図形等の記号やその集合である商品の情報が視認可能に形成されている。この銘板１３Ｂは、その外形状が、第１表示部１７内周形状に沿って形成されている。
【００９０】
このように構成されたタグ１Ｂによれば、上述したタグ１、１Ａと同様の効果を有する。なお、タグ１Ｂは、上述したタグ１、１Ａが有する連結部４２を有さない構成であるため、連結部４２の脆弱部５３，５７が破損することはない。しかし、タグ１Ｂが引っ張られることで、タグ１Ｂが分離する前に吊持部材６の脆弱部６３が破損することで、上述したタグ１、１Ａと同様の効果を有する。
【００９１】
また、タグ１Ｂは、表示部材５Ｂに第１表示部材１１のみが用いられるため、表示部材５Ｂは、他の表示部材５，５Ａよりもその長さが短い。このようなタグ１Ｂは、衣類１００の情報の表示が、短くても良い場合には、無駄な構成を用いることなく、情報を表示可能となり、コストの低減、及び、小型とすることが可能となる。なお、このようなタグ１Ｂは、例えば、値札のみとして使用される場合や、ロゴのみを表示する場合等、タグ１Ｂのみで情報を表示し、他の情報、例えば、別途値札をタグ１Ｂに吊持しない場合に用いられる。
【００９２】
このタグ１Ｂは、上述したタグ１に吊持される値札１１０の変わりに、タグ１に吊持する構成でもよい。
【００９３】
次に、図１３を用いて本発明の第４の実施の形態に係るタグ１Ｃについて説明する。図１３は本発明の第４の実施の形態に係るタグ１Ｃの構成を示す平面図である。なお、図１３中、図１〜１２と同様の構成には同一符号を付し、その詳細な説明は省略する。
【００９４】
図１３に示すように、タグ１Ｃは、表示部材５と、一つの吊持部材６と、により構成されている。具体的に説明すると、タグ１Ｃは、第１表示部材１１及び第２表示部材１２の被係止部１５，４１の一方に吊持部材６が係合し、他方に吊持部材６が係合しない構成である。
【００９５】
このように構成されたタグ１Ｃは、上述したタグ１、１Ａ、１Ｂと同様の効果を有する。さらに言えば、タグ１Ｃは、タグ１の構成から、吊持部材６の一つを有さない構成であり、その効果はタグ１と略同一である。なお、このようなタグ１Ｃは、タグ１Ｂと同様に、値札等を別途吊持しない場合に用いられる。
【００９６】
次に、図１０、１４を用いて本発明の第５の実施の形態に係るタグ１Ｄについて説明する。図１４は本発明の第５の実施の形態に係るタグ１Ｄに用いられる第４表示部材７７を示す平面図である。なお、図１０はタグ１Ａの構成を示す平面図であるが、タグ１Ｄの構成とその外観が略同一であるため、図１０を用いてタグ１Ｄの構成を説明する。なお、図１０中、タグ１Ｄの構成であって、タグ１Ａと異なる構成には、括弧に符号を付して示す。
【００９７】
図１０、１４に示すように、タグ１Ｄは、表示部材５Ｄと、２つの吊持部材６と、を備えている。表示部材５Ｄは、２つの第１表示部材１１と、これら第１表示部材１１，１１間に設けられる第４表示部材７７と、銘板１３Ａと、を備えている。
【００９８】
第４表示部材７７は、樹脂材料で形成されている。図１０，１４に示すように、第４表示部材７７は、箱型に形成され、その相対する側面部７７ａ、７７ｂにそれぞれ連結部４２が設けられている。また、第４表示部材７７は、その一方の主面に、銘板１３Ａを配置可能に形成された第３表示部７６を備えている。
【００９９】
なお、表示部材５Ｄは、第４表示部材７７の各連結部４２に第１表示部材１１の被連結部１６がそれぞれ接続され、銘板１３Ａが設けられることで形成される。
【０１００】
このように構成されたタグ１Ｄによれば、上述したタグ１、１Ａ、１Ｂ、１Ｃと同様の効果を有する。さらに言うなら、上述したタグ１Ａと略同一の効果を有する。
【０１０１】
なお、本発明は前記実施の形態に限定されるものではない。上述した例では、タグ１〜１Ｄは、衣類１００の襟タグ１０１に吊持される構成を説明したがこれに限定されない。タグ１は、衣類以外の商品や包装に吊持されても良い。また、例えば、タグ１〜１Ｄは、配送用の荷札に用いても良く、他の物品や用途に用いても良い。
【０１０２】
また、上述したタグ１〜１Ｄは、本発明の各実施の形態として、一例を述べたが、これらの構成に限定されない。上述した例は一例であり、各構成品の組合せで、上述したタグ１〜１Ｄ以外の構成のタグとしてもよい。
【０１０３】
例えば上述したタグ１Ａの構成では第３表示部材７５を一つ設ける構成としたが、これに限定されず、例えば、第３表示部材７５を複数連結する構成であってもよい。なお、その際には、銘板１３Ａではなく、適宜そのタグに貼付け可能な形状の案内手段であればよい。
【０１０４】
また、上述したタグ１Ｄは、表示部材５Ｄとして、２つの第１表示部材１１と、これら第１表示部材１１，１１間に設けられる、２つの連結部４２を有する第４表示部材７７と、を備える構成としたが、これに限定されない。例えば、２つの連結部４２を有する第４表示部材７７ではなく、２つの被連結部１６を有する第５表示部材とし、この第５表示部材に第２表示部材１２を２つ組み合わせる構成でもよい。
【０１０５】
即ち、本発明の各実施の形態のタグ１〜１Ｄは、使用の一例である。例えば、予め製造された吊持部材６、第１〜第４表示部材１１、１２、７５、７７を、複数ずつセットとして店舗等に保管しておき、商品に吊持するタグの形状や情報等に応じて、上述の各構成部材６、１１、１２、７５、７７を適宜組み合わせる構成であればよい。なお、その際、銘板は、予め製造しておくか、若しくは、必要に応じて製造する等により対応すれば良い。
【０１０６】
さらに言えば、上述した表示部材１１，１２，７５，７７は、商品の情報を表示させるのに、銘板１３〜１３Ｂを用いる構成で説明したが、これに限定されない。即ち、各表示部材１１，１２，７５，７７の表面に、銘板を設けず、第１〜第４表示部材１１，１２，７５，７７の表面、たとえば、第１〜第３表示部１７，４３，７６に、それぞれ凹凸で、ブランドロゴ等の衣類１００の情報を表示してもよい。また、銘板１３〜１３Ｂは、樹脂や金属で形成された薄板であるとしたが、シール等であってもよい。
【０１０７】
また、上述したタグ１では、値札１１０が設けられた吊持部材６を、表示部材５に固定後、衣類１００に他の吊持部材６を用いて表示部材５を吊持させるとしたが、表示部材５を衣類１００に吊持させてから、値札１１０を表示部材５に吊持させてもよい。
【０１０８】
また、上述したタグ１〜１Ｄの各表示部材５，５Ａ，５Ｄ内部に、ＲＦＩＤタグや磁気タグ等を設ける構成としてもよい。このようなタグは、例えば商品情報が記憶されたタグや、店外持ち出しを監視可能に形成されており、商品のモニタリング及び防犯性を向上することが可能となる。
【０１０９】
また、上述したタグ１Ｂ，１Ｃは、外部に露出する被係止部１５及び被連結部１６に他構成品６，１２を設けない構成としたが、これに限定されない。例えば、被係止部１５及び被連結部１６に、これら被係止部１５及び被連結部１６を閉塞するキャップをさらに設ける構成であってもよい。この他、本発明の要旨を逸脱しない範囲で種々変形実施可能である。
以下に、本願出願の当初の特許請求の範囲に記載された発明を付記する。
［１］  物品に取り付けて、前記物品の情報を表示するタグにおいて、
可撓性を有する線形に形成され、その両端に係止部を有する吊持部材と、
前記係止部をそれぞれ係止させる被係止部、及び、前記物品の情報を表示する第１表示部を有する第１表示部材と、
前記吊持部材又は前記第１表示部材に設けられ、係止した前記係止部及び前記被係止部の係止を解除する方向へ力が印加されると、前記係止の解除前に破断する第１破断部と、
を備えることを特徴とするタグ。
［２］  前記第１表示部材と連結する連結部、及び、前記物品の情報を表示する第２表示部を有する第２表示部材と、
前記第１表示部材に設けられ、前記連結部と連結する被連結部と、
前記連結部及び前記被連結部の少なくとも一方に設けられ、連結した前記第１表示部及び前記第２表示部の連結を解除する方向へ力が印加されると、前記連結の解除前に破断する第２破断部と、
をさらに備えることを特徴とする［１］に記載のタグ。
［３］  前記連結部又は前記被連結部を有するとともに、前記物品の情報を表示する第３表示部を有し、前記第１表示部材及び前記第２表示部材と連結する第３表示部材をさらに備えることを特徴とする［２］に記載のタグ。
［４］  前記第１表示部材、前記第２表示部材及び前記第３表示部材は、その表面に前記物品の情報を表示する凹み部及び銘板の少なくとも一方を有することを特徴とする［３］に記載のタグ。
［５］  前記第２表示部材は、前記被係止部を有し、前記吊持部材を係止可能に形成されていることを特徴とする［２］に記載のタグ。
［６］  物品に取り付けて、前記物品の情報を表示するタグにおいて、
可撓性を有する線形に形成され、その両端に係止部を有する吊持部材と、
前記係止部をそれぞれ係止させる被係止部、被連結部、及び、前記物品の情報を表示する第１表示部を有する第１表示部材と、
前記被係止部、前記被連結部と連結する前記連結部、及び、前記物品の情報を表示する第２表示部を有する第２表示部材と、
前記連結部及び前記被連結部の少なくとも一方、及び、前記物品の情報を表示する第３表示部を有し、前記第１表示部材及び前記第２表示部材と連結、又は、前記第１表示部材若しくは前記第２表示部材と連結する第３表示部材と、
を複数備え、
前記吊持部材、前記第１表示部材、前記第２表示部材及び前記第３表示部材うち、少なくとも前記吊持部材及び前記第１表示部材を組み合わせることを特徴とするタグ。
［７］  前記係止部及び被係止部の一方、及び、前記連結部及び前記被連結部の一方にそれぞれ設けられ、前記係止部及び前記被係止部の係止及び連結した前記第１表示部及び前記第２表示部の連結を解除する方向へ力が印加されると、前記係止及び前記連結の少なくとも一方が解除する前に破断する破断部をさらに備えることを特徴とする［６］に記載のタグ。
【符号の説明】
【０１１０】
１〜１Ｄ…タグ、５，５Ａ，５Ｄ…表示部材、６…吊持部材、１１…第１表示部材、１２…第２表示部材、１３〜１３Ｂ…銘板、１５…被係止部、１６…被連結部、１７…第１表示部、２１…第１被係止部、２２…第２被係止部、２３…孔部、２４…拡口部、２５…ストッパ、２６…板部、２６ａ…切欠部、２８…孔部、２９…拡口部、３１…第１被連結部、３２…第２被連結部、３３…孔部、３４…拡口部、３４Ａ…凹み部、３５…孔部、３６…凹み部、４１…被係止部、４２…連結部、４３…第２表示部、４５…第１被係止部、４６…第２被係止部、４７…第１連結部、４８…第２連結部、５１…挿入部、５２…凸部、５３…脆弱部、５５…挿入部、５６…凸部、５７…脆弱部、６１…線状部材、６２…係止部、６３…脆弱部、６５…第１係止部、６６…第２係止部、６８…挿入部、７１…挿入部、７５…第３表示部材、７６…第３表示部、７７…第４表示部材、１００…衣類（物品）、１０１…襟タグ、１１０…値札、１１１…挿入孔。
【図１】
0005470130.tif 000002
【図２】
0005470130.tif 000003
【図３】
0005470130.tif 000004
【図４】
0005470130.tif 000005
【図５】
0005470130.tif 000006
【図６】
0005470130.tif 000007
【図７】
0005470130.tif 000008
【図８】
0005470130.tif 000009
【図９】
0005470130.tif 000010
【図１０】
0005470130.tif 000011
【図１１】
0005470130.tif 000012
【図１２】
0005470130.tif 000013
【図１３】
0005470130.tif 000014
【図１４】
0005470130.tif 000015